(57)【要約】【課題】遅延プロファイルデータ生成機能を有する無線通信機に関し、遅延プロファイルデータ生成に必要な処理を最少限に抑え、処理負担を軽減する。【解決手段】受信データ格納メモリ１−１に蓄えられた受信データと既知符号との相関をマッチドフィルタ（ＭＦ）１−２により取得し、受信データの同相成分同士を同相加算部１−３で加算し、電力変換部１−４で電力値に変換し、電力加算部１−５で電力値を加算する。電力加算した遅延プロファイルデータからパス検出処理部１−６でパス検出処理を行い、検出したパス情報を基に受信データをフィンガ部１−７でＲＡＫＥ合成し、受信データを受信データ処理部１−８で復号処理し、受信データ判定部１−９で受信データのエラーレート（ＢＥＲ／ＢＬＥＲ）を判定し、受信特性を基に、同相加算回数又は電力加算回数を徐々に減少させ、受信特性が許容される最低限の限界値となる加算回数とする。【選択図】      図１
2004350135.tif 000002
【特許請求の範囲】
【請求項１】
目標とする受信信号のエラーレートに対し、信号対干渉電力比が、該エラーレートを満たす予め設定された範囲の上限値より低い場合に、
精度の高い遅延プロファイルデータを生成するために行う遅延プロファイルデータの同相加算又は電力加算の加算回数を漸次減少させる手段と、
該加算回数の減少による遅延プロファイルデータの劣化に伴う受信信号のエラーレートの増大に対し、信号対干渉電力比を高める設定を行い、該信号対干渉電力比が、前記予め設定された範囲の上限値に達したことを検出した時点で、前記遅延プロファイルデータの加算回数を漸次減少させる動作を停止させる手段と
を備えたことを特徴とする遅延プロファイルデータ生成機能を有する無線通信機。
【請求項２】
信号対干渉電力比の設定値に対し、受信信号のエラーレートが、目標とする予め設定された範囲の上限値より低い場合に、
精度の高い遅延プロファイルデータを生成するために行う遅延プロファイルデータの同相加算又は電力加算の加算回数を漸次減少させる手段と、
該加算回数の減少による遅延プロファイルデータの劣化に伴い、受信信号のエラーレートが、前記予め設定された範囲の上限値に達したことを検出した時点で、前記遅延プロファイルデータの加算回数を漸次減少させる動作を停止させる手段と
を備えたことを特徴とする遅延プロファイルデータ生成機能を有する無線通信機。
【請求項３】
遅延プロファイルデータの生成により検出された最大パスの信号対雑音比が、予め設定された閾値を超えている場合に、加算回数を漸次減少させる手段と、
該加算回数の減少による遅延プロファイルデータの劣化に伴い、遅延プロファイルデータの分散値が所定の閾値を越えたことを検出した時点で、前記遅延プロファイルデータの加算回数を漸次減少させる動作を停止させる手段と
を備えたことを特徴とする遅延プロファイルデータ生成機能を有する無線通信機。
【請求項４】
上位レイヤのプロトコルを基に、パイロットシンボルの送信電力が高い伝送サービスであることを判別する手段と、
パイロットシンボルの送信電力が高い伝送サービスである場合に、精度の高い遅延プロファイルデータを生成するために行う遅延プロファイルデータの同相加算又は電力加算の加算回数を減少させ、パイロットシンボルの送信電力が低い伝送サービスである場合に、前記同相加算又は電力加算の加算回数を増加させる加算回数調整手段と
を備えたことを特徴とする遅延プロファイルデータ生成機能を有する無線通信機。
【請求項５】
遅延プロファイルデータの同相加算又は電力加算を行い、精度の高い遅延プロファイルデータを生成する処理の途中において、
前回の遅延プロファイルデータの生成により得られたパスと同一のタイミング位置にパスが検出されるか否かを判定する手段と、
前回の遅延プロファイルデータの生成により得られたパスと同一のタイミング位置にパスが検出された場合に、前記遅延プロファイルデータの同相加算又は電力加算の処理を停止する手段と
を備えたことを特徴とする遅延プロファイルデータ生成機能を有する無線通信機。
【発明の詳細な説明】
【０００１】
【発明の属する技術分野】
本発明は、遅延プロファイルデータ生成機能を有する無線通信機に関し、詳しくは、符号分割多元接続方式（Ｃｏｄｅ  Ｄｉｖｉｓｉｏｎ  Ｍｕｌｔｉｐｌｅ  Ａｃｃｅｓｓ  、以下、単に「ＣＤＭＡ方式」という）の無線通信機において、パス検出等を行うために遅延プロファイルデータを生成する機能を有する無線通信機に関する。
【０００２】
【従来の技術】
ＣＤＭＡ方式の無線通信機において、受信信号から遅延プロファイルデータを生成し、該遅延プロファイルデータを基にパス検出を行い、検出されたパスの電力値及びタイミング位置を基に受信信号を復調してＲＡＫＥ合成を行い、復調データの精度を向上させる技術が一般的によく用いられている。
【０００３】
ＣＤＭＡ方式の受信信号を正しいタイミングで復調するために、パスの信号対雑音比（Ｓ／Ｎ）を向上させるなどの処理を行ってできる限り正確なパスタイミングを取得することが重要であるが、その分、処理の負荷が重くなるので、取得するパスタイミングの精度を保ちつつ、処理負担を軽減して消費電力を低減化するための種々の工夫・改良が施されている。
【０００４】
本発明に関連する先行技術は、下記の特許文献１〜４等に記載されている。特許文献１に記載のものは、受信特性に基づいて遅延プロファイル計算を停止し、その停止時間を可変とするとともに、遅延プロファイル計算を行う場合にその平均回数及び／又は同相加算数を変更するものである。
【０００５】
また、特許文献２に記載のものは、受信レベルが大きく変動する通信路環境でも適切な同期検出を行うことができるよう、拡散符号周期毎の遅延プロファイル間の相関値を複数回観測し、その結果得られる分散値が所定値より小さい場合には平均時間が長くなるように遅延プロファイル平均化回数を決定し、該分散値が所定値より大きい場合には平均化時間が短くなるように遅延プロファイル平均化回数を決定し、遅延プロファイルを生成するものである。
【０００６】
また、特許文献３に記載のものは、フェージングの周波数（受信電力値の時間軸上の変化）に対応して同相加算数を変化させ、フェージングの態様に影響されることなく、正確なパス検出を可能とする遅延プロファイル測定方法に関するものである。
【０００７】
また、特許文献４に記載のものは、瞬時遅延プロファイルの変動を観測し、所定の変動を検出しない場合には、平均化遅延プロファイルの生成を間欠的に行い、平均化を行う回路の動作速度を抑えて消費電力を低減させるものである。
【０００８】
【特許文献１】
特開２００１−２４５５７号公報（段落０１３６〜０１３８、段落０１４８〜０１５０、段落０１６０）
【特許文献２】
特開２００１−２６７９５８号公報（段落０００６、段落０００９〜００１９）
【特許文献３】
特開２００１−２７４７２４号公報（段落００３７〜００５５）
【特許文献４】
特開２０００−２７８１７６号公報（段落０００６〜００１９）
【０００９】
【発明が解決しようとする課題】
本発明は、パスタイミング取得の精度を許容される範囲内に維持しつつ、遅延プロファイルデータ生成に必要な処理を最少限に抑え、処理負担を軽減することができる遅延プロファイルデータ生成機能を有する無線通信機を提供することを目的とする。
【００１０】
【課題を解決するための手段】
本発明の遅延プロファイルデータ生成機能を有する無線通信機は、（１）目標とする受信信号のエラーレートに対し、信号対干渉電力比が、該エラーレートを満たす予め設定された範囲の上限値より低い場合に、精度の高い遅延プロファイルデータを生成するために行う遅延プロファイルデータの同相加算又は電力加算の加算回数を漸次減少させる手段と、該加算回数の減少による遅延プロファイルデータの劣化に伴う受信信号のエラーレートの増大に対し、信号対干渉電力比を高める設定を行い、該信号対干渉電力比が、前記予め設定された範囲の上限値に達したことを検出した時点で、前記遅延プロファイルデータの加算回数を漸次減少させる動作を停止させる手段とを備えたものである。
【００１１】
また、（２）信号対干渉電力比の設定値に対し、受信信号のエラーレートが、目標とする予め設定された範囲の上限値より低い場合に、精度の高い遅延プロファイルデータを生成するために行う遅延プロファイルデータの同相加算又は電力加算の加算回数を漸次減少させる手段と、該加算回数の減少による遅延プロファイルデータの劣化に伴い、受信信号のエラーレートが、前記予め設定された範囲の上限値に達したことを検出した時点で、前記遅延プロファイルデータの加算回数を漸次減少させる動作を停止させる手段とを備えたものである。
【００１２】
また、（３）遅延プロファイルデータの生成により検出された最大パスの信号対雑音比が、予め設定された閾値を超えている場合に、加算回数を漸次減少させる手段と、該加算回数の減少による遅延プロファイルデータの劣化に伴い、遅延プロファイルデータの分散値が所定の閾値を越えたことを検出した時点で、前記遅延プロファイルデータの加算回数を漸次減少させる動作を停止させる手段とを備えたものである。
【００１３】
また、（４）上位レイヤのプロトコルを基に、パイロットシンボルの送信電力が高い伝送サービスであることを判別する手段と、パイロットシンボルの送信電力が高い伝送サービスである場合に、精度の高い遅延プロファイルデータを生成するために行う遅延プロファイルデータの同相加算又は電力加算の加算回数を減少させ、パイロットシンボルの送信電力が低い伝送サービスである場合に、前記同相加算又は電力加算の加算回数を増加させる加算回数調整手段とを備えたものである。
【００１４】
また、（５）遅延プロファイルデータの同相加算又は電力加算を行い、精度の高い遅延プロファイルデータを生成する処理の途中において、前回の遅延プロファイルデータの生成により得られたパスと同一のタイミング位置にパスが検出されるか否かを判定する手段と、前回の遅延プロファイルデータの生成により得られたパスと同一のタイミング位置にパスが検出された場合に、前記遅延プロファイルデータの同相加算又は電力加算の処理を停止する手段とを備えたものである。
【００１５】
【発明の実施の形態】
図１に本発明の遅延プロファイルデータ生成機能を有する無線通信機の構成例を示す。同図はＣＤＭＡ方式の無線通信機の受信系を示し、受信データを一時的に蓄える受信データ格納メモリ１−１、受信データと既知符号との相関を演算して取得するマッチドフィルタ（ＭＦ）１−２、相関取得後の受信データのＩ成分及びＱ成分の同相の成分同士を加算する同相加算部１−３、振幅データにより表されている遅延プロファイルデータを電力値に変換する電力変換部１−４、電力変換後の遅延プロファイルデータを加算する電力加算部１−５、電力加算した遅延プロファイルデータからパス検出の処理を行うパス検出処理部１−６、パス検出処理部１−６で検出したパス情報を基に受信データをＲＡＫＥ合成するフィンガ部１−７、フィンガ部１−７でＲＡＫＥ合成された受信データを復号処理する受信データ処理部１−８、受信データ処理部１−８で処理した受信データのエラーレート（ＢＥＲ／ＢＬＥＲ：Ｂｉｔ  Ｅｒｒｏｒ  Ｒａｔｅ／Ｂｌｏｃｋ  Ｅｒｒｏｒ  Ｒａｔｅ  ）の特性を判定する受信データ判定部１−９、受信データ判定部１−９で得られる受信特性を基に、受信信号の信号対干渉電力比（ＳＩＲ）として設定すべき値を判定して決定する設定ＳＩＲ判定部１−１０、各ハードウェア機能部から状態情報データを受取り、制御命令を各ハードウェア機能部へ伝えるハードウェア制御部１−１１を備える。
【００１６】
上記設定ＳＩＲ判定部１−１０により決定された信号対干渉電力比（ＳＩＲ）の設定値に基づいて通信相手装置との間で閉ループ電力制御を行い、該設定値の信号対干渉電力比（ＳＩＲ）が得られるように、通信相手装置に対して送信電力を制御する指令を送出する。
【００１７】
無線通信機の受信系では受信データのＲＡＫＥ合成を行うために、到来信号のパス数及びパスタイミングを検出する必要があり、遅延プロファイルデータを基に有効パスを判別し、その数及びタイミングの検出を行う。遅延プロファイルデータは、無線信号のデータフレームに含まれている既知のシンボル列（パイロットシンボル）を復調し、その同相成分の振幅同士を加算する同相加算と、その電力値を加算する電力加算とを行うことにより、精度の高い遅延プロファイルデータを生成する。
【００１８】
受信信号に含まれるノイズベクトルはランダムな方向を向いているため、同相加算の期間を長くして同相加算回数を多くすればするほど、ノイズベクトル同士が相殺され、最終的に信号成分の比率が高くなる。その信号成分ベクトルの和を電力値に変換して加算することによって、分散の少ない遅延プロファイルデータが生成される。
【００１９】
パスを精度良く検出するためには、同相加算の回数及び電力加算の回数を適切に決定し、信号対雑音比（Ｓ／Ｎ）が良く且つ分散の少ない遅延プロファイルデータを取得することが重要である。しかしながら、フェージングによる位相回転や振幅変動が発生するため、単純に同相加算及び電力加算の期間を長くして加算回数を多くしたのでは却って精度が落ちてしまう場合がある。
【００２０】
そこで、従来は同相加算及び電力加算それぞれについて、種々の測定データや統計データ等を基に最適な加算回数を予め決定していた。つまり、伝播環境によらず加算回数を一定の固定値としていたが、本発明は、伝播環境により変化するエラーレート（ＢＥＲ／ＢＬＥＲ）又は信号対雑音比（Ｓ／Ｎ）の設定値等に応じて加算回数を変化させ、加算回数が必要最少限の回数となるようにする。
【００２１】
図２に無線データフレーム構成の一例を示す。ここで、同相加算（振幅加算）を行う領域をスロット（ｓｌｏｔ）と定義する。また、スロット間の加算には電力加算を適用して平均化を行う。図２に示す無線データフレームにおいて、１スロットは５シンボルから成り、同相加算回数の上限は各スロット毎に５回、スロット間の電力加算回数の上限はｋ回であり、最終的な電力加算値は以下の式（１）により表される。
【００２２】
【数１】
2004350135.tif 000003
ここでαはスロット番号を、βはシンボル番号をそれぞれ示す。
【００２３】
パスの信号対雑音比（Ｓ／Ｎ）を高めるのはパイロットシンボル同士の同相加算であり、電力加算は分散を小さくする効果が得られる。パスの信号対雑音比（Ｓ／Ｎ）を高める理由は、正確なパスタイミングを基に復調を行い、受信特性（ＢＥＲ／ＢＬＥＲ）を向上させるためであるが、受信特性が目標の基準を十分満たし、受信特性に余裕がある場合は、パス検出の精度が多少落ちても受信結果に影響を与えない。そこで、パス検出に費やす処理を、受信結果に影響が出ない範囲で削減し、削減した分の処理を他の処理に回す、或いは消費電力の削減を図ることができる。
【００２４】
図３に受信シンボルの信号対干渉電力比（ＳＩＲ）とエラーレート（ＢＥＲ／ＢＬＥＲ）の特性の関係の一例を示す。この特性の関係を基に本発明の実施形態を説明する。本発明の第１の実施形態は、各伝送サービスにおける目標エラーレート（ＢＥＲ／ＢＬＥＲ）に対して、信号対干渉電力比（ＳＩＲ）の設定値が十分に低く、受信特性が良好である場合に、遅延プロファイルデータ生成における電力加算回数を徐々に減少させ、電力加算の処理量を削減する。
【００２５】
或る目標エラーレート（ＢＥＲ／ＢＬＥＲ）に対し、該目標エラーレート（ＢＥＲ／ＢＬＥＲ）が得られる信号対干渉電力比（ＳＩＲ）の範囲を予め測定して決定し設定しておく。図３において、この信号対干渉電力比（ＳＩＲ）の範囲は「ＳＩＲ下限」〜「ＳＩＲ上限」の範囲として表している。
【００２６】
実際の無線通信機の信号対干渉電力比（ＳＩＲ）の設定値が、上記「ＳＩＲ下限」〜「ＳＩＲ上限」の範囲内にある場合、次回の遅延プロファイルデータ生成時における電力加算回数を１回減らす。即ち、前述の式（１）における電力加算回数をｋ−１とする。
【００２７】
その後、遅延プロファイルデータ生成毎に信号対干渉電力比（ＳＩＲ）の設定値を確認し、同様の処理を繰り返す。電力加算回数を減少させるにつれて、遅延プロファイルデータの分散が大きくなるためパス検出の精度が下がり、その結果、受信特性（ＢＥＲ／ＢＬＥＲ）が劣化する。
【００２８】
すると、信号対干渉電力比（ＳＩＲ）の設定値を高くし、通信相手装置に対して送信電力を高めるように要求する電力制御指令を送信する。これを繰り返すことにより、次第に信号対干渉電力比（ＳＩＲ）の設定値が高くなり、図３に示す予め決定された信号対干渉電力比（ＳＩＲ）設定値の上限を超えてしまう。
【００２９】
そして、予め決定された信号対干渉電力比（ＳＩＲ）設定値の上限を超えた時点で、電力加算回数を減少させる動作を停止し、その後は、信号対干渉電力比（ＳＩＲ）の設定値がこの上限付近に落ち着くよう加算回数を増減させる。なお、電力加算回数を増加させる際に、加算回数のデフォルト上限回数ｋを超えないようにする。こうすることにより、遅延プロファイル生成に必要な加算処理を最低限の受信特性を満たす範囲で軽減することができる。
【００３０】
次に本発明の第２の実施形態について説明する。発明の第２の実施形態では、各伝送サービスにおける信号対干渉電力比（ＳＩＲ）の設定値に対し、受信信号の実測エラーレート  （ＢＥＲ／ＢＬＥＲ）が十分に良好である場合に、遅延プロファイルデータ生成における電力加算回数を徐々に減少させ、処理量を削減させる。
【００３１】
図３に示すように、信号対干渉電力比（ＳＩＲ）の設定値に対して、受信信号のエラーレート（ＢＥＲ／ＢＬＥＲ）の上限及び下限を予め測定し決定しておく。受信信号の実測エラーレート（ＢＥＲ／ＢＬＥＲ）がその上限より低い値となっている場合、電力加算の回数を１回減少させ、次回の遅延プロファイル生成時まで、受信データ判定部１−９において受信データのエラーレート（ＢＥＲ／ＢＬＥＲ）を判定する。
【００３２】
電力加算回数を逓減させるにつれて分散が大きくなり、その結果、パスの検出精度が低下し、エラーレート（ＢＥＲ／ＢＬＥＲ）が上昇する。電力加算回数をデフォルト回数（初期値）より１回ずつ減少させつつ、受信信号のエラーレート（ＢＥＲ／ＢＬＥＲ）を監視し、それが前記上限を超えたときに電力加算回数を減少させる動作を停止する。
【００３３】
そして、受信信号のエラーレート（ＢＥＲ／ＢＬＥＲ）が該上限より低い値となるまで電力加算回数を増やしていく。つまり、式（１）における電力加算回数ｋの値を変化させることにより、常に受信信号のエラーレート（ＢＥＲ／ＢＬＥＲ）は上限値付近の値となり、最低限の受信特性を満たしながら、パスサーチ処理負担が最少となるように軽減することができる。
【００３４】
次に本発明の第３の実施形態について説明する。本発明の第３の実施形態は、遅延プロファイルデータの最大パスの信号対雑音比（Ｓ／Ｎ）を基に、電力加算回数をデフォルト加算回数（初期値）から逓減し、処理量を軽減する。図４に示すように、遅延プロファイルデータの最大パスに対して或る閾値を設け、パスの信号レベルが該閾値を超えている場合に電力加算回数を１回ずつ減少させる。即ち、式（１）の電力加算回数ｋの値を１ずつ減少させる。
【００３５】
電力加算回数を減少させることにより、遅延プロファイルデータの分散が大きくなるため、マルチパスを正確に捕捉することができなくなり、次第に受信信号のエラーレート（ＢＥＲ／ＢＬＥＲ）が上昇する。受信特性の劣化は、遅延プロファイルデータの分散値（図４のσ）に対する閾値に基づいて判断する。
【００３６】
遅延プロファイルデータの分散が該閾値よりも大きくならない範囲で電力加算回数を減らしていく。なお、分散の算出に際しては、パスのピーク値の影響をできる限り抑えるために、該閾値を超えるパスに関しては、全て、該閾値をパスの電力値として加算を行う。
【００３７】
この実施形態では、受信信号のエラーレート（ＢＥＲ／ＢＬＥＲ）をわざわざ取得することなく、電力加算回数を調整することができるため、伝播状況を敏速に処理へ反映させることができる。なお、電力加算回数を増加する過程で、電力加算回数がデフォルト上限回数ｋを超えないようにする。
【００３８】
次に本発明の第４の実施形態について説明する。本発明の第４の実施形態は、各伝送サービスにおける目標エラーレート（ＢＥＲ／ＢＬＥＲ）に対し、信号対干渉電力比（ＳＩＲ）の設定値が十分に低く、受信特性が良好である場合に、遅延プロファイルデータ生成における同相加算回数を徐々に減少させ、処理量を削減する。
【００３９】
或る目標エラーレート（ＢＥＲ／ＢＬＥＲ）に対し、信号対干渉電力比（ＳＩＲ）の設定値が十分に低い場合、無線データフレームの最終スロット（ｓｌｏｔ  ｋ）から順に同相加算の回数を１回ずつ減らしてゆく。最終スロット（ｓｌｏｔ  ｋ）の同相加算回数がゼロになった場合は、次に最終スロットの一つ前のスロット（ｓｌｏｔ  ｋ−１）から同相加算の回数を１回ずつ減らしてゆく。
【００４０】
同相加算回数を減らすことにより、パスの信号対雑音比（Ｓ／Ｎ）が低下し、次第に受信特性が劣化する。それによって、信号対干渉電力比（ＳＩＲ）の設定値を高くし、通信相手装置に対して送信電力を高めるように要求する電力制御指令を送信する。
【００４１】
信号対干渉電力比（ＳＩＲ）の設定値がその上限を超えた時点で、同相加算回数の逓減を止め、信号対干渉電力比（ＳＩＲ）の設定値が該上限より低い値となるまで同相加算回数を１回ずつ増やしていく。この実施形態により、信号対干渉電力比（ＳＩＲ）の設定値が上限値付近の値を取ることになり、遅延プロファイル生成に必要な処理を最低限の受信特性を満たす範囲で軽減することができる。
【００４２】
なお、同相加算回数を減少させる手段として、前述のように最終スロットから順に１シンボルずつ減らしていく構成のほかに、各スロットでの同相加算回数を１シンボルずつ減らしていく構成とすることができる。即ち、前述の式（１）における、シンボル番号βの上限値５を１つずつ減少させる構成とすることができる。
【００４３】
次に本発明の第５の実施形態について説明する。本発明の第５の実施形態は、各伝送サービスにおける信号対干渉電力比（ＳＩＲ）の設定値に対し、受信信号の実測エラーレート  （ＢＥＲ／ＢＬＥＲ）が十分に良好である場合に、遅延プロファイルデータ生成時における同相加算回数を徐々に減らし、処理量を削減する。
【００４４】
予め決められた同相加算回数に対し、現状の受信信号のエラーレート（ＢＥＲ／ＢＬＥＲ）が十分に良好であるとき、最終スロット（ｓｌｏｔ  ｋ）から順に同相加算の回数を１回ずつ減らしてゆく。最終スロット（ｓｌｏｔ  ｋ）の同相加算回数がゼロになった場合は、次に最終スロットの一つ前のスロット（ｓｌｏｔ  ｋ−１）から同相加算の回数を１回ずつ減らしてゆく。
【００４５】
そして、同相加算回数を１回減らす度に受信信号のエラーレート（ＢＥＲ／ＢＬＥＲ）を確認し、図３に示す上限値を超えていなければ、引き続き同相加算回数を減らしてゆく。エラーレート（ＢＥＲ／ＢＬＥＲ）の上限値を超えた場合は、同相加算回数を減少させる動作を停止し、エラーレート（ＢＥＲ／ＢＬＥＲ）が該上限値以下となるまで、同相加算回数を増やしていく。こうすることにより、エラーレート（ＢＥＲ／ＢＬＥＲ）が上限値付近の値を取ることになり、最低限の受信特性を満たしながら、パスサーチ処理負担が最少となるように軽減することができる。
【００４６】
次に本発明の第６の実施形態について説明する。本発明の第６の実施形態は、遅延プロファイルデータの最大パスの信号対雑音比（Ｓ／Ｎ）を基に、同相加算回数をデフォルト加算回数（初期値）から減少させていき、処理量を軽減する。第３の実施形態と同様に、図４に示すように、遅延プロファイルデータの最大パスに対して或る閾値を設け、パスの信号レベルが該閾値を超えている場合に最終スロット（ｓｌｏｔ  ｋ）から順に同相加算を１回ずつ減らしてゆく。
【００４７】
同相加算回数を減少させることにより、パスの信号対雑音比（Ｓ／Ｎ）が低下するため、正確なパス位置を検出することができなくなり、次第に受信特性は劣化する。受信特性の劣化は、最大パスの信号対雑音比（Ｓ／Ｎ）に基づいて判断を行い、最大パスの信号対雑音比（Ｓ／Ｎ）が、予め定めた閾値前後に落ち着くように同相加算回数を調整する。なお、同相加算回数を増加させる過程でデフォルトの加算回数を超えないようにする。
【００４８】
次に本発明の第７の実施形態について説明する。本発明の第７の実施形態は、パイロットシンボルの電力が比較的高い伝送サービスの場合に、電力加算回数又は同相加算回数を減少させていくことで処理量を削減する。図５に、伝送サービスによってシンボルレートが異なる場合のパイロットシンボル及びデータシンボルの電力の関係を示す。
【００４９】
一般に、データシンボルの電力は、１シンボル当たりの所定の電力を確保するために、レートが上がるにつれて高くなる。また、データシンボルと並列して送信されるパイロットシンボルの電力は、データシンボルの電力に対して固定的に一定の比となるように決定されるため、図５に示すように伝送サービスのレートが異なるごとにパイロットシンボルの電力値が変化する。
【００５０】
図５の例は、伝送サービスＡ及び伝送サービスＢ共に、パイロットシンボルとデータシンボルとの電力比が１対１で、伝送サービスＢは伝送サービスＡに対し、データシンボルのレートが２倍である例を示している。伝送サービスＢのデータシンボルの電力は、伝送サービスＡのデータシンボルの電力の２倍となり、パイロットシンボルとデータシンボルとの電力比は１対１であることから、伝送サービスＢのパイロットシンボルの電力は、伝送サービスＡのパイロットシンボルの電力の２倍となる。
【００５１】
パイロットシンボルのレートは一定で、伝送サービスＡと伝送サービスＢとでパイロットシンボルは同一レートであり、伝送サービスＢのようにパイロットシンボルの電力が高い伝送サービスでは信号対雑音比（Ｓ／Ｎ）が十分良く、デフォルト加算回数では加算回数が多過ぎる場合があり得る。
【００５２】
このような伝送サービスに対して、電力加算回数に制限を加えることにより、受信特性をそれほど劣化させることなく、パス検出処理の負荷を軽減させることができる。加算回数は予めシミュレーション等により最適な回数を決定しておき、各伝送サービス毎に加算回数を変化させる。
【００５３】
次に本発明の第８の実施形態について説明する。本発明の第８の実施形態は、遅延プロファイルデータ生成の途中でパス検出を行い、前回のパス検出時と同一のタイミング位置にパスが検出されれば、前回検出されたパスを各フィンガーに割り付け、それ以降の加算処理を省略することにより、パス検出処理の削減を行う。
【００５４】
移動機の移動速度が遅い場合又は停止している場合や、パス検出処理の間隔が短い場合、遅延プロファイルデータに現れるパスのタイミング位置が殆ど変化しない場合がある。このような場合は、前回のパスタイミング位置をそのまま使用すれば良く、それを判別する判断材料として、生成途中の遅延プロファイルデータを用いることとする。
【００５５】
生成途中の遅延プロファイルデータは、式（１）におけるスロット番号αが或る定められたｍ（ｍ＜ｋ）のときのパス検出結果とし、判定に用いるパスは検出されたパスのいずれであってもよい。このような処理を、遅延プロファイルデータの生成ごとに毎回行わずに、間欠的に行うことによっても、トータル的にパス検出処理を削減することができる。
【００５６】
【発明の効果】
以上説明したように、本発明によれば、受信信号のエラーレート（ＢＥＲ／ＢＬＥＲ）、信号対干渉電力比（ＳＩＲ）の設定値又はパスの最大値等に着目し、受信特性が良好である場合に、遅延プロファイルデータ生成における同相加算回数又は電力加算回数を漸次減少させ、受信特性として許容される最低限の限界値付近で加算回数の減少動作を停止し、同相加算回数又は電力加算回数を決定することにより、パスタイミング取得の精度を許容される範囲内に維持しつつ、遅延プロファイルデータ生成に必要な処理を最少限に抑え、処理負担を軽減することができる。
【００５７】
また、パイロットシンボルの受信電力が十分大きい場合に、受信特性に影響を及ぼさない範囲で、同相加算回数又は電力加算回数を減少させることにより、遅延プロファイルデータ生成の処理量を削減し、その削減した分、処理可能なチャネル数を増やしチャネル容量を増加し、又はプロセッサやメモリ等のハードウェアの削減を図ることができる。
【図面の簡単な説明】
【図１】本発明の遅延プロファイルデータ生成機能を有する無線通信機の構成例を示す図である。
【図２】無線データフレーム構成の一例を示す図である。
【図３】受信シンボルの信号対干渉電力比（ＳＩＲ）とエラーレート（ＢＥＲ／ＢＬＥＲ）の特性の関係の一例を示す図である。
【図４】遅延プロファイルデータの一例を示す図である。
【図５】伝送サービスによってレートが異なる場合のパイロットシンボル及びデータシンボルの電力の関係を示す図である。
【符号の説明】
１−１  受信データ格納メモリ
１−２  マッチドフィルタ（ＭＦ）
１−３  同相加算部
１−４  電力変換部
１−５  電力加算部
１−６  パス検出処理部
１−７  フィンガ部
１−８  受信データ処理部
１−９  受信データ判定部
１−１０  設定ＳＩＲ判定部
１−１１  ハードウェア制御部
【図１】
2004350135.tif 000004
【図２】
2004350135.tif 000005
【図３】
2004350135.tif 000006
【図４】
2004350135.tif 000007
【図５】
2004350135.tif 000008